(57)【要約】【課題】ボルトやナットなどの被測定物の強度や構造を変化させることなく、軸状部に加わる軸力を感度よく測定できる軸力測定器具を提供する。【解決手段】軸状部を有する部材の軸状部に加わる軸力を測定する器具であって、部材の軸状部に軸方向から力が加わると、記部材の軸状部に軸方向から力が加わるように前記部材の軸状部近傍に設置される本体部２と、本体部２に設けられ、本体部２に対して加わる力を測定するディテクタ１０と、を備えており、ディテクタ１０が、ファイバブラッググレーティングが形成されたＦＢＧ部１５を有するＦＢＧ光ファイバー１１であり、ＦＢＧ光ファイバー１１は、本体部２を部材の軸状部近傍に設置した状態において、ＦＢＧ部１５の軸方向が部材の軸状部の軸方向と非直交となるように本体部２に取り付けられている。【選択図】図１
2016003895.tif 000002
【特許請求の範囲】
【請求項１】
軸状部を有する部材の軸状部に加わる軸力を測定する器具であって、
前記部材の軸状部に軸方向から力が加わると、該部材の軸状部に軸方向から力が加わるように前記部材の軸状部近傍に設置される本体部と、
前記本体部に設けられ、該本体部に対して加わる力を測定するディテクタと、を備えており、
該ディテクタが、
ファイバブラッググレーティングが形成されたＦＢＧ部を有するＦＢＧ光ファイバーであり、
該ＦＢＧ光ファイバーは、
前記本体部を前記部材の軸状部近傍に設置した状態において、前記ＦＢＧ部の軸方向が前記部材の軸状部の軸方向と非直交となるように前記本体部に取り付けられている
ことを特徴とする軸力測定器具。
【請求項２】
前記本体部が、
軸方向を貫通する貫通孔を有する部材であり、
前記本体部における軸方向の端面には、前記貫通孔を囲むように、接触突起が形成されている
ことを特徴とする請求項１記載の軸力測定器具。
【請求項３】
前記接触突起は、
前記貫通孔の中心軸と同軸な円環状に形成されている
ことを特徴とする請求項２記載の軸力測定器具。
【請求項４】
前記接触突起が複数設けられており、
該複数の接触突起は、
前記貫通孔の中心軸から等距離かつ前記貫通孔の周方向において等角度間隔となるように形成されている
ことを特徴とする請求項２記載の軸力測定器具。
【請求項５】
前記ＦＢＧ光ファイバーは、
前記本体部の軸方向における一方の端面から他方の端面に向かって延びた収容孔内に配置されており、
前記本体部の収容孔は、
該本体部の貫通孔の中心軸を中心軸とし、半径が前記本体部の貫通孔の中心軸から前記接触突起までの距離と同等である円筒状面と交差するように形成されている
ことを特徴とする請求項２、３または４記載の軸力測定器具。
【請求項６】
前記本体部の収容孔が、
前記本体部の貫通孔の内面に形成された溝である
ことを特徴とする請求項５記載の軸力測定器具。
【請求項７】
前記本体部の収容孔は、
その軸方向が前記本体部の軸方向に対して傾斜するように設けられている
ことを特徴とする請求項５または６記載の軸力測定器具。
【請求項８】
前記本体部は、
その軸方向の端面に、前記ＦＢＧ光ファイバーを保持する保持部を備えている
ことを特徴とする請求項５、６、７または８記載の軸力測定器具。
【発明の詳細な説明】
【技術分野】
【０００１】
本発明は、軸力測定器具に関する。さらに詳しくは、ファイバブラッググレーティング（Fiber Bragg Grating：ＦＢＧ）を使用した軸力測定器具に関する。
【背景技術】
【０００２】
ボルトなどのように軸状の部分(以下軸部という)を有する締結用部材を使用して物体（被締結物）を固定したり連結したりする場合、安定して被締結物を固定等するには、軸部に加わる軸力を一定に保つことが求められる。しかし、軸力の測定は難しいので、ボルトやナットを締めつけるトルクから軸力を推定する方法が採用されている。
【０００３】
例えば、特許文献１には、ロードセルを使用して、ボルトを締め付けた際の軸力を測定する装置が開示されている。かかる装置を使用して、ボルトを締め付けるトルクと軸部に加わる軸力との関係を求めておけば、ボルトやナットを締め付けた際のトルクから、軸部に加わる軸力を求めることができる可能性がある。
【０００４】
しかるに、ボルトやナットを締めつけた場合、トルクは、ボルトの頭部やナットと被締結物の表面との間の摩擦力の影響を受ける。つまり、両者間の摩擦力が変化すれば、測定されたトルクは同じでも軸部に加わる軸力は変化してしまう。つまり、締め付けた際のトルクを測定してそのトルクから軸力を算出しても、算出された軸力は実際の軸力とは異なる値となる可能性がある。
【０００５】
一方、ボルトに直接ひずみゲージなどのセンサーを取り付けて、軸部に加わる軸力を直接測定する方法も開発されている。例えば、特許文献２、３では、ボルトの軸にその軸方向に沿って延びた穴を形成し、その穴にセンサーを配置する構成が開示されている。この方法であれば、ボルトに加わる軸力を直接測定することができる可能性がある。
【先行技術文献】
【特許文献】
【０００６】
【特許文献１】特開２００４―９３３７７号公報
【特許文献２】特開２０１０−５３９２７号公報
【特許文献３】特開２０１０−１１７３１０号公報
【発明の概要】
【発明が解決しようとする課題】
【０００７】
しかるに、特許文献２、３の技術の場合、ボルトに加工を加えているので、ボルト本来の強度を発揮させることができない。言い換えれば、ボルトの強度が低下してしまうので、ボルト自体の強度を要求されるような場所では使用することができない。
【０００８】
また、ワッシャー状に形成したロードセルを、ワッシャーのように配置して軸力を測定するセンサーも開発されているが、感度や信頼性が十分ではなく、使用者の要求に対応できでいない（http://www.laser-measurement.com/product/fibre/spass.html）。
【０００９】
本発明は上記事情に鑑み、軸状部を有する被測定物の強度や構造を変化させることなく、軸状部に加わる軸力を感度よく測定できる軸力測定器具を提供することを目的とする。
【課題を解決するための手段】
【００１０】
第１発明の軸力測定器具は、軸状部を有する部材の軸状部に加わる軸力を測定する器具であって、前記部材の軸状部に軸方向から力が加わると、該部材の軸状部に軸方向から力が加わるように前記部材の軸状部近傍に設置される本体部と、前記本体部に設けられ、該本体部に対して加わる力を測定するディテクタと、を備えており、該ディテクタが、ファイバブラッググレーティングが形成されたＦＢＧ部を有するＦＢＧ光ファイバーであり、該ＦＢＧ光ファイバーは、前記本体部を前記部材の軸状部近傍に設置した状態において、前記ＦＢＧ部の軸方向が前記部材の軸状部の軸方向と非直交となるように前記本体部に取り付けられていることを特徴とする。
第２発明の軸力測定器具は、第１発明において、前記本体部が、軸方向を貫通する貫通孔を有する部材であり、前記本体部における軸方向の端面には、前記貫通孔を囲むように、接触突起が形成されていることを特徴とする。
第３発明の軸力測定器具は、第２発明において、前記接触突起は、前記貫通孔の中心軸と同軸な円環状に形成されていることを特徴とする。
第４発明の軸力測定器具は、第２発明において、前記接触突起が複数設けられており、該複数の接触突起は、前記貫通孔の中心軸から等距離かつ前記貫通孔の周方向において等角度間隔となるように形成されていることを特徴とする。
第５発明の軸力測定器具は、第２、第３または第４発明において、前記ＦＢＧ光ファイバーは、前記本体部の軸方向における一方の端面から他方の端面に向かって延びた収容孔内に配置されており、前記本体部の収容孔は、該本体部の貫通孔の中心軸を中心軸とし、半径が前記本体部の貫通孔の中心軸から前記接触突起までの距離と同等である円筒状面と交差するように形成されていることを特徴とする。
第６発明の軸力測定器具は、第５発明において、前記本体部の収容孔が、前記本体部の貫通孔の内面に形成された溝であることを特徴とする。
第７発明の軸力測定器具は、第５または第６発明において、前記本体部の収容孔は、その軸方向が前記本体部の軸方向に対して傾斜するように設けられていることを特徴とする。
第８発明の軸力測定器具は、第５、第６または第７発明において、前記本体部は、その軸方向の端面に、前記ＦＢＧ光ファイバーを保持する保持部を備えていることを特徴とする。
【発明の効果】
【００１１】
第１発明によれば、部材の軸状部の軸方向から本体部に力が加われば、その力に応じて本体部にひずみが発生する。すると、ＦＢＧ光ファイバーのＦＢＧ部にもひずみが発生するので、ＦＢＧ光ファイバーに光を入射すれば、透過または反射される光の波長の変化に基づいて本体部のひずみを測定することができる。そして、本体部のひずみが把握できれば、そのひずみに基づいて、本体部に加わった力、つまり、軸力を測定することができる。
第２〜第４発明によれば、貫通孔に部材の軸状部を挿通しておけば、部材の軸状部の軸方向から本体部に力が加わったときに、本体部にもその軸方向から力が加わる状態とすることができる。しかも、貫通孔を囲むように接触突起が設けられているので、本体部内部の応力分布と部材の軸状部に加わる軸力との関係を安定させることができる。したがって、部材の軸状部に加わる軸力をより精度よく測定することができる。
第５発明によれば、円筒状面の位置では本体部に加わる応力が集中するので、本体部に対して軸方向から加わる応力を精度よく測定することができる。
第６発明によれば、本体部の加工とＦＢＧ部の設置を容易にすることができる。
第７、第８発明によれば、本体部の収容孔内のＦＢＧ部と本体部外の部分との境界部分においてＦＢＧ光ファイバーに加わる力を小さくすることができる。すると、ＦＢＧ光ファイバーが境界部分で損傷することを防止することができる。
【図面の簡単な説明】
【００１２】
【図１】本実施形態の軸力測定器具１の概略説明図であり、（Ａ）は概略斜視図であり、（Ｂ）は概略平面図である。
【図２】本実施形態の軸力測定器具１の概略説明図であり、（Ａ）は概略側面図であり、（Ｂ）は図１（Ｂ）のIIB−IIB線断面図である。
【図３】本実施形態の軸力測定器具１の使用状況の概略説明図である。
【図４】本体部２の概略単体説明図であり、（Ａ）は概略平面図であり、（Ｂ）は（Ａ）のＢ−Ｂ線断面図である。
【図５】保持部６の概略単体説明図であり、（Ａ）は概略平面図であり、（Ｂ）は（Ａ）のＢ−Ｂ線断面図である。
【図６】実施例の解析モデルの説明図である。
【図７】実施例の解析結果を示した図である。
【図８】実施例の解析結果を示した図である。
【発明を実施するための形態】
【００１３】
つぎに、本発明の実施形態を図面に基づき説明する。
本発明の軸力測定器具は、ボルト等の軸状部を有する部材の軸状部に加わる軸力を測定するための測定器具であって、部材を加工することなく、軸状部に加わる軸力を直接測定できるようにしたことに特徴を有している。
【００１４】
本発明の軸力測定器具によって軸力を測定する対象（測定対象）は、橋梁，鉄塔などの鉄骨構造物、車両、機械装置、建設機械、産業機器などにおいて、部材同士の連結や固定に使用される軸状部分を有する部材である。例えば、ボルトやシャフト、レバー等の軸状部を有する部材を挙げることができるが、とくに限定されない。
【００１５】
また、本発明の軸力測定器具では、軸力を測定するディテクタとして、ファイバブラッググレーティング（Fiber Bragg Grating：ＦＢＧ）が形成された光ファイバー（ＦＢＧ光ファイバー）を使用している。ＦＢＧ光ファイバーは、電磁ノイズに強いという特性があり、長距離信号伝達が可能である。しかも、一本のＦＢＧ光ファイバーでも、複数個所の測定が可能である。例えば、橋梁，鉄塔などにおいて使用されている多数のボルトのモニタリングに本発明の軸力測定器具を使用することができる。つまり、本発明の軸力測定器具をボルトに設置しておけば、複数本のボルトの軸力を同時にかつ遠隔地で測定（モニタリング）することも可能となる。したがって、本発明の軸力測定器具を用いることで、これまで多大な労力を要していた、橋梁，鉄塔などにおける緩み検査を迅速かつ簡便に実施することが可能となる。
【００１６】
（本実施形態の軸力測定器具１）
図１〜図２に示すように、本実施形態の軸力測定器具１は、本体部２と、この本体部２に設けられたディテクタ１０とから構成されている。そして、本実施形態の軸力測定器具１は、本体部２に対して軸方向（厚さ方向）から力が加わったときに、その力を本体部２のひずみとしてディテクタ１０が測定できるようになっている。
【００１７】
（ディテクタ１０）
図２に示すように、ディテクタ１０は、ＦＢＧ部１５を有するＦＢＧ光ファイバー１１から構成されている。このＦＢＧ光ファイバー１１は、コアにファイバブラッググレーティングが形成された部分（ＦＢＧ部１５）を有する光ファイバーである。
【００１８】
（本体部２）
図１〜図２および図４に示すように、本体部２は、中央部に貫通孔２ｈを有する環状（言い換えればドーナッツ状）の部材である。この本体部２は、例えば、鉄やステンレスなどの金属等の弾性体によって形成されている。つまり、貫通孔２ｈの軸方向から圧縮するように力が加わると、その力に比例したひずみが内部に発生するような性質を有する素材によって、本体部２は形成されている。なお、上記機能を満たす素材であれば、本体部２の素材はとくに限定されない。
【００１９】
（接触突起３ａ,３ｂ）
図１〜図２および図４に示すように、本体部２は、その軸方向の両端面２ａ，２ｂ（図２では上下の面）には、それぞれ接触突起３ａ,３ｂが設けられている。この接触突起３ａ,３ｂは、両端面２ａ，２ｂから盛り上がった部分であり、貫通孔２ｈを囲むように設けられている。この接触突起３ａ,３ｂの断面は、頂点３ｔを有する山形に形成されている。そして、貫通孔２ｈの中心軸ＣＬから頂点３ｔまでの距離Ｒａ，Ｒｂが、同じ長さになるように形成されている。つまり、接触突起３ａの頂点で形成される円ｃａと、接触突起３ａの頂点で形成される円ｃｂが、いずれも貫通孔２ｈの中心軸ＣＬ上に中心を有し、かつ、同じ半径を有するように、接触突起３ａ,３ｂは形成されている。
【００２０】
（収容孔２ｇ）
図１〜図２および図４に示すように、本体部２には、ディテクタ１０のＦＢＧ部１５が取り付けられる収容孔２ｇが形成されている。この収容孔２ｇは、本体部２の貫通孔２ｈの内面２ｃに形成された溝であり、本体部２の端面２ａから端面２ｂに向かって延びるように形成されている。しかも、収容孔２ｇは、その中心軸が貫通孔２ｈの中心軸ＣＬを含む面ＳＦ（図１（Ｂ）参照）内に位置し、かつ、その中心軸が貫通孔２ｈの中心軸ＣＬに対して非直交となるように設けられている。より詳しく言えば、収容孔２ｇは、本体部２の貫通孔２ｈの中心軸ＣＬを中心軸とし、半径が本体部２の貫通孔２ｈの中心軸ＣＬから接触突起３ａ,３ｂまでの距離と同等である円筒状面と交差するように形成されている。つまり、収容孔２ｇは、接触突起３ａ,３ｂの頂点３ｔで形成される２つの円をいずれも含む円筒状面と交差するように形成されている。
【００２１】
以上のごとき構造であるので、ＦＢＧ部１５を収容孔２ｇに取り付けると、ＦＢＧ部１５の軸方向が貫通孔２ｈの中心軸ＣＬに対して非直交に配置される。このため、本体部２に貫通孔２ｈの中心軸ＣＬに沿った方向の力が加わると、その力による本体部２の貫通孔２ｈの中心軸ＣＬに沿った方向の変形（ひずみ）に対応した量だけ、ＦＢＧ部１５が変形する。すると、ＦＢＧ部１５の変形を測定すれば、本体部２の貫通孔２ｈの中心軸ＣＬに沿った方向の変形（ひずみ）を測定できる。つまり、本体部２に対して、貫通孔２ｈの中心軸ＣＬに沿って加わった力を測定することができるのである。
【００２２】
したがって、本体部２を、測定対象となる部材に加わる軸力と同じ力が加わるように設置すれば、本体部２に加わる力から測定対象となる部材に加わる軸力を求めることができるのである。
【００２３】
例えば、図３に示すように、本体部２の貫通孔２ｈにボルトＢの軸部Ｓを挿通した状態で、ボルトＢを部材Ｐに固定する。つまり、本体部２を、ワッシャーと同様な方法でボルトＢに取り付け、ボルトＢを部材Ｐに固定する。すると、図３に示すように、本体部２は、ボルトＢの頭部Ｔと部材Ｐとの間に挟まれた状態で設置される。
【００２４】
このとき、本体部２には、ボルトＢの軸部Ｓに加わる軸力Ｆと同じ力かつこの軸力Ｆと同じ方向の力Ｆ１が加わることになる。したがって、本体部２に加わる力Ｆ１をＦＢＧ部１５の測定結果から求めれば、ボルトＢの軸部Ｓに加わる軸力Ｆを測定することができるのである。
【００２５】
しかも、本体部２は、ワッシャーと同様な方法でボルトＢに取り付けているだけであるので、ボルトＢなどに特別な加工は不要であり、ボルトＢの強度や構造は変化しない。
【００２６】
したがって、本実施形態の軸力測定器具１を使用すれば、通常の施工状態とほぼ同じ状態のままで、ボルトＢに加わる軸力Ｆを測定することができるのである。
【００２７】
しかも、ＦＢＧ部１５を有するＦＢＧ光ファイバー１１からなるディテクタ１０は、ボルトＢの軸部Ｓに加わる軸力Ｆを精度よく測定することができる。例えば、波長計測器（インテロゲータ―）と組み合わせれば、ひずみ感度を1×10-6（=１マイクロストレイン）以下とすることができ、抵抗線ひずみゲージの約10マイクロストレインに比べて感度が高い。したがって、本実施形態の軸力測定器具１では、ボルトＢの軸部Ｓに加わる軸力Ｆを精度よく測定することができる。
【００２８】
そして、ワッシャーと同様な方法でボルトＢに取り付けているだけであるので、ボルトＢとともに軸力測定器具１の本体部２を、部材Ｐなどに取り付けておくこともできる。そして、ディテクタ１０のＦＢＧ光ファイバー１１を延長しておけば、遠隔地から定期的に軸力Ｆを測定することができるので、ボルトＢの緩みが発生しているか否かを、遠隔地でも定期的に検査することも可能となる。
【００２９】
（保持部６について）
なお、図１〜図３に示すように、本実施形態の軸力測定器具１は、ディテクタ１０のＦＢＧ光ファイバー１１を保持する保持部６を備えていてもよい。図５に示すように、この保持部６は、ＦＢＧ光ファイバー１１が配置される、傾斜した溝６ｇを有している。このため、保持部６を、溝６ｇが本体部２の収容孔２ｇから連続するように、本体部２に配置することができる。すると、本体部２の収容孔２ｇ内のＦＢＧ部１５と本体部２外の部分との境界部分において、ＦＢＧ光ファイバー１１に加わる力を小さくすることができるから、ＦＢＧ光ファイバー１１が境界部分で損傷することを防止することができる。
【００３０】
なお、保持部６の溝６ｇは、収容孔２ｇから離れるにしたがって、傾斜が徐々に大きくなる（貫通孔２ｈの中心軸ＣＬと直交に近くなる）ようにしておけば、ＦＢＧ光ファイバー１１に加わる力を小さくできる。例えば、溝６ｇを円弧上にしてもよいし、図２（Ｂ）および図５（Ｂ）に示すように、多段傾斜としてもよい。
【００３１】
（本体部２について）
なお、本体部２の形状は環状に限られず、矩形や三角形などでもよく、とくに限定されない。中心に中央部に貫通孔２ｈを有しており、この貫通孔２ｈの周囲を囲むように、接触突起３ａ,３ｂが形成されていればよい。
【００３２】
また、貫通孔２ｈは、必ずしも本体部２の中央部に形成されている必要はない。しかし、貫通孔２ｈを本体部２の中央部に形成した場合には、本体部２に加わる力を、貫通孔２ｈの周囲で均一に近づけやすくなるので、測定精度を向上させることができる。
【００３３】
さらに、本体部２を互いに分離可能な複数の部材によって形成してもよい。この場合には、複数の部材を軸状部から等距離に配置すれば、貫通孔２ｈを有する一体型の本体部２と同様に機能させることができる。そして、複数の部材によって本体部２を形成させる場合には、複数の部材を組み合わせた状態（つまり保管しておく状態）では、貫通孔を有しないものとしてもよい。
【００３４】
（接触突起３ａ,３ｂについて）
なお、上記例では、接触突起３ａ,３ｂが円状に形成されている場合を説明した。しかし、接触突起３ａ,３ｂは必ずしも円状に形成されている必要はない。例えば、点状の接触突起３ａ,３ｂを、貫通孔２ｈの中心軸ＣＬとする円周上に、等角度間隔で複数個所設けてもよい。この場合には、本体部の表裏において対応する接触突起３ａと接触突３ｂを、互いの頂点３ｔが、貫通孔２ｈの中心軸ＣＬと平行な軸上に位置するように配置することが望ましい。この場合、この軸と交差または一致するように収容孔を設ければ、正確に軸力を測定することができる。
【００３５】
また、図２および図４では、接触突起３ａ,３ｂの頂点３ｔが弧状であるが、頂点３ｔは弧状でなくてもよく、尖っていたり平坦面になっていたりしてもよい。しかし、頂点３ｔが弧状となっていれば、頂点３ｔを平坦にする場合に比べて応力を集中させることができるし、頂点３ｔが尖っている場合に比べて頂点３ｔの変形などの損傷を抑えることができる。
【００３６】
さらに、接触突起３ａ,３ｂは、必ずしも両方設けなくてもよく、一方だけ設けてもよい。例えば、端面２ａにのみ接触突起３ａを設けたり、端面２ｂにのみ接触突起３ｂを設けたりしてもよい。また、接触突起３ａ,３ｂを全く設けなくてもよい。しかし、一方の端面２ａ（または端面２ｂ）だけでも接触突起３ａ（または接触突起３ｂ）を設ければ、接触突起３ａ（または接触突起３ｂ）を設けた位置に応力を集中させることができるので、測定精度を向上させることができる。とくに、両端面２ａ，２ｂに接触突起３ａ,３ｂを設ければ、より一層応力を集中させることができるので、一層測定精度を向上させることができる。
【００３７】
（収容孔２ｇについて）
収容孔２ｇを形成する位置などはとくに限定されない。収容孔２ｇにＦＢＧ部１５を取り付けた状態で、本体部２に対して貫通孔２ｈの中心軸ＣＬの方向から加わる力に起因する変形（ひずみ）をＦＢＧ部１５によって測定できる位置に形成されていればよい。しかし、上述したような位置に収容孔２ｇを形成しておけば、本体部２に加わる応力が集中する位置で変形（ひずみ）をＦＢＧ部１５によって測定できるので、本体部２に対して軸方向から加わる応力（軸力）を精度よく測定することができる。
【００３８】
収容孔２ｇは、その軸方向が貫通孔２ｈの中心軸ＣＬの方向と非直交であればよく、その軸方向が貫通孔２ｈの中心軸ＣＬの方向となす角度はとくに限定されない。例えば、収容孔２ｇの軸方向と貫通孔２ｈの中心軸ＣＬのなす角度θは、０〜６０°が好ましく、０〜４５°がより好ましい。とくに、収容孔２ｇの軸方向が、貫通孔２ｈの中心軸ＣＬと平行（θ＝０°）になっていれば、軸力の測定精度を向上させることができる。
【００３９】
さらに、上記例では、収容孔２ｇが溝である場合を説明した。収容孔２ｇを溝状とすれば、本体部２の加工とＦＢＧ部の設置を容易にすることができるという利点が得られる。しかし、収容孔２ｇは上述したような溝状である必要はなく、ＦＢＧ光ファイバー１１のＦＢＧ部１５を安定して収容できる構造であればよい。例えば、両端面２ａ，２ｂ間を貫通する孔を収容孔２ｇとしてもよいし、一方の端面２ａ（または端面２ｂ）に開口を有する有底孔としてもよい。また、貫通孔２ｈの軸方向と平行な軸を有する孔を形成し収容孔としてもよい。
【００４０】
とくに、収容孔２ｇを両端面２ａ，２ｂ間を貫通する孔とした場合には、複数の本体部２を、一本のＦＢＧ光ファイバー１１によって連結することができる。すると、複数個所の軸力を測定する場合でも、１つの測定装置で、ＦＢＧ部１５の変形を測定することができるという利点が得られる。
【００４１】
（ディテクタ１０による軸力測定について）
上述したように、本実施形態の軸力測定器具１では、ディテクタ１０によって本体部２に加わる軸力(言い換えれば軸力による変形（ひずみ）)を、ＦＢＧ部１５の変形として測定している。かかるＦＢＧ部１５の変形は、ＦＢＧ光ファイバー１１に所定の強度を有する光を供給して反射光の周波数を測定すれば、ＦＢＧ部１５の変形を測定することができる。つまり、ＦＢＧ部１５が変形すれば、その変形量に応じて反射光の周波数が変化する。このため、反射光の周波数を、ＦＢＧ部１５が変形していない状態における反射光の周波数と比較することによって、ＦＢＧ部１５の変形を測定できるのである。
【００４２】
なお、ＦＢＧ部１５の変形を測定するには、所定の強度を有する光をＦＢＧ光ファイバー１１に供給するとともに、ＦＢＧ部１５の反射光を受光しなければならない。このため、ＦＢＧ光ファイバー１１は、その一端が制御装置に接続可能に設けられている。具体的には、ＦＢＧ光ファイバー１１の一端にはカプラ等が設けられている。このため、このカプラ等を制御装置ＣＤに接続すれば、制御装置ＣＤからＦＢＧ光ファイバー１１に所定の強度を有する光(入射光)を供給できる。また、ＦＢＧ部１５で反射された反射光を制御装置ＣＤが受光可能となる。すると、入射光と反射光に基づいて、ＦＢＧ部１５の変形（ひずみ）が把握でき、このＦＢＧ部１５の変形（ひずみ）に基づいて、本体部２の変形、つまり、本体部２に加わる軸力を測定することができるのである。
【００４３】
なお、制御装置は、例えば、インテロゲータ、光スペクトラムアナライザなど使用できるが、光波長計測機能を有していればよい。
また、ＦＢＧ光ファイバー１１は、その一端だけでなく、その他端も制御装置に接続されるようになっていてもよい。この場合には、ＦＢＧ部１５を透過した透過光も測定することが可能となるので、この透過光の周波数に基づいて、ＦＢＧ部１５の変形（ひずみ）を測定することも可能となる。
【実施例】
【００４４】
本発明の軸力測定器具を軸力測定に適用した場合において、接触突起を設けた場合の効果を数値シミュレーションによって確認した。
【００４５】
数値シミュレーションでは、図１に示すような本体部に対して、接触突起部分に軸方向からの荷重を加えた場合において、その内部に発生する応力分布を確認した。
【００４６】
数値シミュレーションで使用した本体部のモデルは軸対称２次元断面モデルである。モデルは、内半径５．３ｍｍ、外半径１５ｍ、厚さ１０ｍｍ、接触突起の高さ１ｍｍとした。この本体部の素材は、鋼（E=206GPa，n=0.3）とした（図６参照）。
そして、この本体部に対して、軸方向から荷重１Ｎを加えた。
なお、数値シミュレーションは、有限要素法解析プログラム（ＡＮＳＹＳ）を使用した。
【００４７】
結果を図７および図８に示す。
図７および図８に示すように、軸方向（Ｙ軸方向）のひずみは接触突起が設けられている部分に集中して発生している。このことから、接触突起間の位置を測定することで、精度よく本体部に加わる応力を測定できることを確認できる。
また、本体部に発生したひずみは、約−２．６×１０−８Ｎ-1である。すると、約１ｔｆ=１００００Ｎ=１×１０４Ｎをかけたとき，ひずみは約−２．６×１０-4（−２６０マイクロストレイン）である。
したがって、本発明の軸力測定器具を使用すれば、十分に高い精度でひずみを測定できることが確認された。
【産業上の利用可能性】
【００４８】
本発明の軸力測定器具は、ボルトやシャフト、レバーなどの軸力の測定に適している。
【符号の説明】
【００４９】
１          軸力測定器具
２          本体部
２ｈ        貫通孔
２ｇ        収容溝
３ａ        接触突起
３ｂ        接触突起
６          保持部
１０          ディテクタ
１１          ＦＢＧ光ファイバー
１５          ＦＢＧ部
【図１】
2016003895.tif 000003
【図２】
2016003895.tif 000004
【図３】
2016003895.tif 000005
【図４】
2016003895.tif 000006
【図５】
2016003895.tif 000007
【図６】
2016003895.tif 000008
【図７】
2016003895.tif 000009
【図８】
2016003895.tif 000010